(57)【要約】【課題】表示ユニットを収納した際における該表示ユニットの緩衝部材に当接する位置が表示ユニットを第１の収納状態と第２の収納状態とで異なる場合でも、共通の緩衝部材を用いることができるビデオカメラを提供する。【解決手段】カメラ本体１０１に、表示装置１０２ａを有する表示ユニット１０２が２軸ヒンジ機構２００を介して開閉方向に回動可能に支持されると共に、開状態で、回転可能に支持される。表示ユニット１０２は、収納したときのカメラ本体１０１に対向する側の外形形状が第１の収納状態と第２の収納状態とで異なり、また、表示ユニット１０２には、第１の収納状態で収納したときにカメラ本体１０１側の緩衝部材１０３が当接する凹部１０５が設けられる。そして、凹部１０５に緩衝部材１０３が当接した際の表示ユニット１０２の収納位置と、表示ユニット１０２を第２の収納状態で収納したときに表示ユニット１０２に緩衝部材１０３が当接した際の該表示ユニット１０２の収納位置とが略同一とされる。【選択図】図１
2011124701.tif 000002
【特許請求の範囲】
【請求項１】
機器本体と、
機器本体に対して２軸ヒンジ機構を介して支持され、表示面と前記機器本体とが対向する第１の収納状態にて収納可能であるとともに、前記表示面とは反対側の面と前記機器本体とが対向する第２の収納状態にて収納可能である表示ユニットと、
前記表示ユニットを前記第１の収納状態にて収納したときに、前記表示面側に形成した凹部と当接するとともに、前記表示ユニットを前記第２の収納状態にて収納したときに、前記表示面とは反対側の面に形成した面取り部に当接する緩衝部材とを備え、
前記表示ユニットを前記第１の収納状態にて収納した際の前記緩衝部材と前記凹部との当接位置と、前記表示ユニットを前記第２の収納状態にて収納した際の前記緩衝部材と前記面取り部との当接位置とを略同一とすることを特徴とする電子機器。
【請求項２】
前記凹部は前記表示ユニットの表示領域の外側部分に形成することを特徴とする請求項１に記載の電子機器。
【請求項３】
前記表示ユニットの前記表示領域にはタッチパネルが貼着されることを特徴とする請求項２に記載の電子機器。
【請求項４】
前記凹部の底部に受光素子の受光窓を配置することを特徴とする請求項２または３に記載の電子機器。
【発明の詳細な説明】
【技術分野】
【０００１】
本発明は、例えば、ビデオカメラや携帯電話機等の電子機器に関する。
【背景技術】
【０００２】
ビデオカメラや携帯電話機等の電子機器として、液晶表示装置等を有する表示ユニットを機器本体に対して開閉方向に回動可能に支持するとともに、開状態で回転可能に支持することで、様々な角度での画像の確認を可能にしたものがある（特許文献１）。
【０００３】
また、この種の電子機器では、機器本体に対して表示ユニットを収納する際に、表示ユニットを機器本体側に付勢する付勢手段を備えるものがある。
【０００４】
このような電子機器では、表示ユニットを収納する際に該表示ユニットが機器本体に衝突して傷等がついたり衝突音が発生したりするのを防止するため、機器本体に緩衝部材を配置したものがある。
【先行技術文献】
【特許文献】
【０００５】
【特許文献１】特開平９−９１０８号公報
【発明の概要】
【発明が解決しようとする課題】
【０００６】
しかし、上記従来の技術では、表示ユニットを収納するときの該表示ユニットの機器本体に対向する側の外形形状が、表示ユニットの表示面が機器本体と対向するように収納する第１の収納状態と表示面を露出させた状態で収納する第２の収納状態とで異なるように形成される場合、次のような問題がある。
【０００７】
即ち、表示ユニットを収納した際における該表示ユニットの緩衝部材に当接する位置が表示ユニットを第１の収納状態と第２の収納状態とで異なるため、緩衝部材が複数個必要になるか、或いは緩衝部材の大型化及び形状の複雑化を招き、コスト高になる。
【０００８】
そこで、本発明は、表示ユニットを第１の収納状態で収納した場合と第２の収納状態で収納した場合とで、表示ユニットの機器本体に対向する側の外形形状が異なるように形成される場合でも、共通の緩衝部材を用いることができる電子機器を提供することを目的とする。
【課題を解決するための手段】
【０００９】
上記目的を達成するために、本発明の電子機器は、機器本体と、機器本体に対して２軸ヒンジ機構を介して支持され、表示面と前記機器本体とが対向する第１の収納状態にて収納可能であるとともに、前記表示面とは反対側の面と前記機器本体とが対向する第２の収納状態にて収納可能である表示ユニットと、前記表示ユニットを前記第１の収納状態にて収納したときに、前記表示面側に形成した凹部と当接するとともに、前記表示ユニットを前記第２の収納状態にて収納したときに、前記表示面とは反対側の面に形成した面取り部に当接する緩衝部材とを備え、前記表示ユニットを前記第１の収納状態にて収納した際の前記緩衝部材と前記凹部との当接位置と、前記表示ユニットを前記第２の収納状態にて収納した際の前記緩衝部材と前記面取り部との当接位置とを略同一とすることを特徴とする。
【発明の効果】
【００１０】
本発明によれば、表示ユニットを第１の収納状態で収納した場合と第２の収納状態で収納した場合とで、表示ユニットの機器本体に対向する側の外形形状が異なるように形成される場合でも、共通の緩衝部材を用いることができるので、電子機器の低コスト化が可能になる。
【図面の簡単な説明】
【００１１】
【図１】本発明の電子機器の実施形態の一例であるビデオカメラの外観斜視図である。
【図２】表示ユニットを表示装置の表面側から見た図である。
【図３】図１に示すビデオカメラの制御ブロック図である。
【図４】表示ユニットの分解斜視図である。
【図５】表示ユニットを反転しない状態で閉じてカメラ本体の収納面に収納した状態を示す図である。
【図６】図５のＡ−Ａ線矢視図である。
【図７】図５のＢ−Ｂ線断面図である。
【図８】表示ユニットを反転した状態で閉じてカメラ本体の収納面に収納した状態を示す図である。
【図９】図８のＣ−Ｃ線断面図である。
【発明を実施するための形態】
【００１２】
以下、本発明の実施形態の一例を図面を参照して説明する。
【００１３】
図１は、本発明の電子機器の実施形態の一例であるビデオカメラの外観斜視図である。
【００１４】
図１に示すように、本実施形態のビデオカメラは、カメラ本体１０１の側面に、液晶ディスプレイ等の表示装置１０２ａを有する表示ユニット１０２の基端部が２軸ヒンジ機構２００の開閉軸Ｃ１を介して開閉方向に回動可能に支持されている。
【００１５】
ここで、カメラ本体１０１は、本発明の機器本体の一例に相当し、表示ユニット１０２は、本発明の可動部の一例に相当する。表示ユニット１０２は、閉じ状態で、カメラ本体１０１の側面に配置された収納面１０４に収納される。
【００１６】
また、表示ユニット１０２は、開状態で、カメラ本体１０１に対して、２軸ヒンジ機構２００の回転軸Ｃ２で回転可能となっている。表示ユニット１０２は、表示装置１０２ａの平面状の表示面と収納面１０４とが対向する状態で収納可能である。この収納状態を第１の収納状態という。また、表示ユニット１０２は、表示装置１０２ａの表示面とは反対側の面と収納面１０４とが対向する状態で収納可能である。この収納状態を第２の収納状態という。
【００１７】
表示ユニット１０２の表示装置１０２ａの表示面の反対側の面は、表示ユニット１０２を第１の収納状態で収納した際にビデオカメラの外観形状の一部となる。表示ユニット１０２の前記反対側の面の幅方向両側部及び先端部には、表示ユニット１０２の小型化を図るために、それぞれ面取り部１０２ｂ及び面取り部１０２ｃ（図５参照）が形成されている。従って、表示ユニット１０２は、収納ときのカメラ本体１０１に対向する側の外形形状が、第１の収納状態と第２の収納状態とで異なるように形成されている。
【００１８】
また、表示ユニット１０２の表示装置１０２ａの表示面側の面の先端部には、凹部１０５が形成されている。凹部１０５は、図２に示すように、表示装置１０２ａの表示領域（斜線部分）の外側部分で表示ユニット１０２の幅方向の中央部に配置されており、該凹部１０５の底部は、後述する受光素子２０７（図３参照）の受光窓１０５ｂ（図４参照）とされている。
【００１９】
カメラ本体１０１の収納面１０４の表示ユニット１０２の凹部１０５に対応する位置には、弾性部材等からなる緩衝部材１０３が突設されている。緩衝部材１０３は、表示ユニット１０２を第２の収納状態で収納した際に、凹部１０５の底部、即ち、受光窓１０５ｂに当接して、衝撃を吸収する。
【００２０】
図３は、本実施形態のビデオカメラの制御ブロック図である。
【００２１】
図３に示すように、撮像レンズ２０１を通過して撮像素子２０２に結像した被写体光は、撮像素子２０２で電気信号に光電変換された後、信号処理回路２０３で所定の映像処理が施されて、デジタル映像データとしてカメラ制御部２０４に出力される。
【００２２】
カメラ制御部２０４は、デジタル映像データに対して所定の画像処理を施して表示ユニット１０２の表示装置１０２ａに撮影した画像を表示すると同時に、撮影した画像を記録部２０６に記録する。
【００２３】
また、表示ユニット１０２に設けられた凹部１０５の受光窓１０５ｂを介して外部からの操作信号を受光素子２０７が受信すると、カメラ制御部２０４は、受信した操作信号に基づき、ビデオカメラの動作を制御する。
【００２４】
図４は、表示ユニット１０２の分解斜視図である。
【００２５】
図４に示すように、表示ユニット１０２は、内側カバー４０２と外側カバー４０５との間に、表示装置１０２ａの装置本体４０３及び該装置本体４０３を制御する基板４０４が介装されている。
【００２６】
内側カバー４０２は、装置本体４０３の表示面を保護する透明な保護カバー４０１を保持する。保護カバー４０１にはタッチパネルが貼着されている。すなわち、表示ユニットの表示領域にはタッチパネルが貼着されることとなる。また、内側カバー４０２の先端部（図の左端部）の幅方向中央部には、貫通穴１０５ａが形成されており、該貫通穴１０５ａの装置本体４０３側の端部は受光窓１０５ｂにより塞がれて、上述した凹部１０５を構成している。
【００２７】
装置本体４０３は、画像を表示する表示パネルと、表示パネルに光を照射するバックライトから構成されている。基板４０４には、外部からの操作信号を受信する受光素子２０７が凹部１０５の受光窓１０５ｂの位置に対応して配置されている。
【００２８】
表示ユニット１０２の基端部（図の右端部）とカメラ本体１０１との間には、２軸ヒンジ機構２００が介装され、２軸ヒンジ機構２００は、２軸ヒンジユニット４０６と、該２軸ヒンジユニット４０６を覆うカバー４０７とによって構成されている。
【００２９】
２軸ヒンジユニット４０６には、カメラ本体１０１に対して表示ユニット１０２を閉じる際に、表示ユニット１０２をカメラ本体１０１側に付勢するバネ等の付勢手段が設けられている。
【００３０】
図５は表示ユニット１０２を第１の収納状態でカメラ本体１０１の収納面１０４に収納した状態を示す図、図６は図５のＡ−Ａ線矢視図、図７は図５のＢ−Ｂ線断面図である。
【００３１】
図５の状態では、表示ユニット１０２の凹部１０５の底部がカメラ本体１０１の収納面１０４に突設された緩衝部材１０３に当接して、表示ユニット１０２を収納する際の衝撃が吸収される（図６及び図７参照）。
【００３２】
図７に示すように、このときの表示ユニット１０２の第１の収納状態におけるカメラ本体１０１の収納面１０４から、緩衝部材１０３が当接する表示ユニット１０２の凹部１０５の当接位置までの距離は、Ｘとなる。
【００３３】
図８は表示ユニット１０２を第２の収納状態でカメラ本体１０１の収納面１０４に収納した状態を示す図、図９は図８のＣ−Ｃ線断面図である。
【００３４】
図８の状態では、表示ユニット１０２の先端側の面取り部１０２ｃがカメラ本体１０１の収納面１０４に突設された緩衝部材１０３に当接して、表示ユニット１０２を収納する際の衝撃が吸収される（図９参照）。
【００３５】
図９に示すように、このときの表示ユニット１０２の第２の収納位置におけるカメラ本体１０１の収納面１０４から、緩衝部材１０３が当接する表示ユニット１０２の面取り部１０２ｃの当接位置までの距離は、Ｙとなる。
【００３６】
ここで、本実施形態では、図７に示す距離Ｘと図９に示す距離Ｙとは、略同一とされている。これにより、表示ユニット１０２を第１の収納状態で収納したときの該表示ユニット１０２の収納位置と、表示ユニット１０２を第２の収納状態で収納したときの該表示ユニット１０２の閉じ位置とが略同一となる。
【００３７】
以上説明したように、本実施形態では、表示ユニット１０２を収納したときの該表示ユニット１０２のカメラ本体１０１に対向する側の外形形状が第１の収納状態と第２の収納状態とで異なる場合でも、共通の緩衝部材１０３を用いることができる。これにより、緩衝部材の数を増やすことなく、或いは緩衝部材の大型化及び形状の複雑化を招くことなく、第１の収納状態及び第２の収納状態で表示ユニット１０２を閉じた際の衝撃を吸収することができ、ビデオカメラの低コスト化が可能になる。
【００３８】
なお、本発明の構成は、上記実施形態に例示したものに限定されるものではなく、材質、形状、寸法、形態、数、配置箇所等は、本発明の要旨を逸脱しない範囲において適宜変更可能である。
【００３９】
例えば、上記実施形態では、可動部として表示装置１０２ａを備える表示ユニット１０２を例示したが、これに限定されず、表示装置１０２ａを備えていない可動部であってもよい。
【００４０】
また、上記実施形態では、表示ユニット１０２に設けた凹部１０５の底部を受光素子２０７の受光窓１０５ｂとした場合を例示したが、これに代えて、凹部１０５の底部を外部の明るさを検知する検知手段の検知窓としてもよい。
【００４１】
更に、上記実施形態では、可動部に１つの凹部を設けて共通の緩衝部材を１つとしているが、可動部に２以上の凹部を設けて共通の緩衝部材を２以上とすることで、可動部を閉じた際の衝撃吸収性能をより高めるようにしてもよい。
【符号の説明】
【００４２】
１０１    カメラ本体
１０２    表示ユニット
１０２ａ  表示装置
１０３    緩衝部材
１０５    凹部
１０５ａ  受光窓
２００    ２軸ヒンジ機構
２０７    受光素子
【図１】
2011124701.tif 000003
【図２】
2011124701.tif 000004
【図３】
2011124701.tif 000005
【図４】
2011124701.tif 000006
【図５】
2011124701.tif 000007
【図６】
2011124701.tif 000008
【図７】
2011124701.tif 000009
【図８】
2011124701.tif 000010
【図９】
2011124701.tif 000011